(57)【要約】      （修正有）【課題】保護及び防振性能を向上することの保護具を提供する。【解決手段】第１板面２１と、第１板面と背中合わせの対応する位置にある第２板面２２と、両端がそれぞれ第１板面と第２板面の間に位置する側面２３と、を有する剛性を備えた板状本体２０、及び第１板面に設けられた弾性を備える第１クッション部３０を含む。【選択図】図１
0003224488.tif 000002
【実用新案登録請求の範囲】
【請求項１】
第１板面と、前記第１板面と背中合わせになっている第２板面と、前記第１板面と前記第２板面の間に位置する側面と、を有する剛性を備えた板状本体、
及び前記第１板面に設けられた弾性を備える第１クッション部を含むことを特徴とする保護具。
【請求項２】
前記本体は弧形を呈することを特徴とする、請求項１に記載の保護具。
【請求項３】
前記第１クッション部は前記第１板面と固定接続することを特徴とする、請求項１に記載の保護具。
【請求項４】
前記第２板面に設けられた弾性を備える第２クッション部をさらに含むことを特徴とする、請求項１に記載の保護具。  
【請求項５】
前記第２クッション部は前記第２板面と固定接続することを特徴とする、請求項４に記載の保護具。
【請求項６】
前記側面に設けられた環装部をさらに含むことを特徴とする、請求項１又は請求項４に記載の保護具。
【請求項７】
前記環装部は前記側面と固定接続することを特徴とする、請求項６に記載の保護具。
【請求項８】
前記環装部は、前記側面に固定接続された板状のブロック体、及び前記ブロック体上に位置する孔を有していることを特徴とする、請求項７に記載の保護具。
【考案の詳細な説明】
【技術分野】
【０００１】
本考案は保護具に関し、特に保護及び防振性能を向上させることができる保護具に関するものである。
【背景技術】
【０００２】
運動は人々にとって必要不可欠なライフサイクルの一つである。身体活動を正常化させる作用があり、身体の各器官系の生理機能を向上させ、且つ心身の状態を安定させる面で重要な役割を担っている。運動を行う場合、その動力となるのは筋肉運動であり、骨格が支え、関節が回転軸となるが、運動過程で筋肉と関節に損傷が生じることがよくある。そのため、スポーツに携わる場合には筋肉と関節の保護を重視する必要がある。
【０００３】
よく見られる一般的な保護具は中空円柱状の構造になっており、筋肉と関節の可動性を制限することで保護する固有効果を有する。こうした保護具は広く使用されているものの、効果的に衝撃荷重に耐え且つ応力を排除し得る性能を有さないため、使用者が衝撃を受けた場合には、衝撃荷重が保護具を経由してそのまま使用者に伝わり、使用者が負傷しかねない。
【考案の概要】
【考案が解決しようとする課題】
【０００４】
本考案は以上に鑑み、効果的に衝撃荷重に耐え且つ排除して、保護具の保護及び防振性能を向上させることができる保護具を提供することを目的としており、これにより、使用者がこの保護具を使用した場合、衝撃を受けることで負傷してしまう従来技術のような状況を減らすことができる。
【課題を解決するための手段】
【０００５】
上記目的を達成するために、本考案が提供する保護具は、第１板面と、第１板面と背中合わせの対応する位置にある第２板面と、両端がそれぞれ第１板面と第２板面の間に位置する側面と、を有する剛性を備えた板状本体、及び第１板面に設けられた弾性を備える第１クッション部を含む。
【０００６】
保護具を使用者の身体に密着可能にするため、本体が弧形を呈するようにすることができる。
【０００７】
そのうち、第１クッション部は第１板面と固定接続する。
【０００８】
保護具の弾性の防振性能をより向上させて、使用者が受ける衝撃荷重を低減させるため、保護具には、第２板面に設けられた弾性を備える第２クッション部をさらに含めることができる。
【０００９】
そのうち、第２クッション部は第２板面と固定接続する。
【００１０】
保護具を使用者の身体に固定可能にするため、保護具には、側面に設けられた環装部をさらに含める。
【００１１】
そのうち、環装部は側面と固定接続する。
【００１２】
さらに環装部は、側面と固定接続された板状のブロック体、及びブロック体上に位置する孔を有しており、孔に通して括る方法により保護具を使用者の身体に固定させることができる。
【図面の簡単な説明】
【００１３】
【図１】本考案の好ましい実施例１の正面図である。
【図２】本考案の好ましい実施例１の側面図である。
【図３】本考案の好ましい実施例１における図１の切断線３−３に沿った断面図である。
【図４】本考案の好ましい実施例２の正面図である。
【図５】本考案の好ましい実施例２における図４の切断線５−５に沿った断面図である。
【図６】本考案の好ましい実施例３の正面図である。
【図７】本考案の好ましい実施例３における図６の切断線７−７に沿った断面図である。
【考案を実施するための形態】
【００１４】
以下、本考案の好ましい実施例の幾つかを挙げて、図面を基に詳しく説明する。
【実施例１】
【００１５】
最初に、図１〜図３を参照して、本考案の好ましい実施例１中で提供する保護具（１０）は、主に本体（２０）、第１クッション部（３０）及び環装部（４０）を含む。
【００１６】
本体（２０）は弧形を呈する剛性を備えた板状体であり、円弧面の第１板面（２１）と、第１板面（２１）と背中合わせの対応する位置にある凸弧面の第２板面（２２）と、両端がそれぞれ第１板面（２１）と第２板面（２２）の間に位置する側面（２３）を有する。  
【００１７】
第１クッション部（３０）は第１板面（２１）と固定接続され、且つ弾性を備えている。
【００１８】
環装部（４０）は第１板面（２１）の板面の中心方向に対して垂直に側面（２３）と固定接続されており、第１板面（２１）の板面の中心方向に対して垂直に側面（２３）と固定接続された板状のブロック体（４１）、及びブロック体（４１）上に位置する孔（４２）を有している。
【００１９】
上述の部材構成にすることで、保護具（１０）を弧形の板状本体（２０）によって使用者の身体に密着させて、孔（４２）に通して括る方法により使用者の身体に固定させており、保護具（１０）が衝撃を受けた場合には、本体（２０）が衝撃荷重に耐え、第１クッション部（３０）が衝撃荷重を排除且つ分散させることができるので、保護具（１０）が効果的に衝撃荷重の応力に耐え且つ排除することができ、保護具（１０）を経由して使用者に伝わる衝撃荷重を低減させて、使用者が負傷しないよう防ぐという本考案の目的が達成される。
【実施例２】
【００２０】
次に図４及び図５を参照して、本考案の好ましい実施例２中で提供する保護具（１０'）は、第１板面（２１'）が凸弧面であり、第２板面（２２'）が第１板面（２１'）と背中合わせの対応する位置にある凹弧面であるという点が好ましい実施例１と異なっている。
【実施例３】
【００２１】
次に図６及び図７を参照して、本考案の好ましい実施例３中で提供する保護具（１０''）は、好ましい実施例１中で開示したものとほぼ同じであるが、本実施例においては、保護具（１０''）の弾性の防振性能をより向上させるために、保護具（１０''）には、第２板面（２２）に固定接続された弾性を備える第２クッション部（５０）をさらに含めることができ、こうすることでより広範な適用環境やより快適な使用性が得られる。
【００２２】
但し、特に説明すべき点として、第１クッション部（３０）を第１板面（２１）に固定接続する際の接合技術については、接着方法で固定接続してもよく、或いは製造において一体成形して固定接続する方法によっても第１クッション部（３０）と第１板面（２１）を互いに安定して接合させる効果が得られる。特に、第１クッション部（３０）と第１板面（２１）を互いに安定して接合させる効果については、本考案で明確に記載されたものに限定されず、本考案の出願時に既に安定した接合効果が得られるものを含むものとする。また、当然ながら、これらの接合技術を上述の好ましい実施例１及び実施例２に適用することもできる。
【００２３】
また、第２クッション部（５０）と第２板面（２２）の接合技術についても、上述の第１クッション部（３０）と第１板面（２１）の接合技術のように、接着方法で固定接続してもよく、或いは製造において一体成形して固定接続する方法によっても第２クッション部（５０）と第２板面（２２）を互いに安定して接合させる効果を得ることができ、決して本考案で明確に記載されたものだけに限定されず、本考案の出願時に既に安定した接合効果が得られるものを含むものとする。
【００２４】
特に説明すべき別の点として、保護具（１０''）の保護性能を向上させる技術的手段については、本体（２０）の材質によって形成してもよく、また保護装置を増設することで剛性を備えさせる効果を達成してもよい。保護具（１０''）の弾性の防振性能を向上させる技術的手段については、第１クッション部（３０）の材質及び第２クッション部（５０）の材質でもよく、別にばね装置を増設することで弾性を備えさせる効果を達成してもよい。特に、本体（２０）に剛性を備えさせる効果については、決して本考案で明確に記載されたものだけに限定されず、本考案の出願時に既に剛性を備えさせる効果が得られるものを含むものとする。また、第１クッション部（３０）及び第２クッション部（５０）に弾性を備えさせる効果についても、決して本考案で明確に記載されたものだけに限定されず、本考案の出願時に既に弾性を備えさせる効果が得られるものを含むものとする。また、当然ながら、これらの剛性や弾性を備えさせる効果が得られるものを上述の好ましい実施例１及び実施例２に適用することもできる。
【符号の説明】
【００２５】
１０、１０'、１０''  保護具  
２０  本体
２１、２１'  第１板面
２２、２２'  第２板面
２３  側面
３０  第１クッション部
４０  環装部
４１  ブロック体
４２  孔
５０  第２クッション部
【図１】
0003224488.tif 000003
【図２】
0003224488.tif 000004
【図３】
0003224488.tif 000005
【図４】
0003224488.tif 000006
【図５】
0003224488.tif 000007
【図６】
0003224488.tif 000008
【図７】
0003224488.tif 000009